(57)【要約】【課題】ランプ装置およびソケットを特別な構造とすることなく、防水性を確保できる照明装置を提供する。【解決手段】照明装置10は、ランプ装置12、ソケット13および防水キャップ14を備える。ランプ装置12は、口金本体、口金本体の中央から突出する突出部、および口金本体の周辺部から突出する電極ピンを有する。ソケット13は、ランプ装置12の突出部が挿通される挿通孔が形成された環状のソケット本体、および電極ピンが電気的に接続される端子を有する。防水キャップ14は、筒状の防水キャップ本体34、防水キャップ本体34の一端側に設けられソケット13を設置する器具本体11に接触してソケット13と器具本体11との間に配置される第１の防水部36、および防水キャップ本体34の他端側に設けられソケット13に装着されるランプ装置12の周囲に接触する第２の防水部37を有する。【選択図】図１
2016062842.tif 000002
【特許請求の範囲】
【請求項１】
口金本体、この口金本体の中央から突出する突出部、および前記口金本体の周辺部から突出する電極ピンを有する口金を備えたランプ装置と；
前記ランプ装置の前記突出部が挿通される挿通孔が形成された環状のソケット本体、および前記電極ピンが電気的に接続される端子を有するソケットと；
筒状の防水キャップ本体、この防水キャップ本体の一端側に設けられ前記ソケットを設置する設置部に接触して前記ソケットと前記設置部との間に配置される第１の防水部、および前記防水キャップ本体の他端側に設けられ前記ソケットに装着される前記ランプ装置の周囲に接触する第２の防水部を有する防水キャップと；
を具備することを特徴とする照明装置。
【請求項２】
前記ソケットと前記第１の防水部との間に介在されるリングを具備する
ことを特徴とする請求項１記載の照明装置。
【請求項３】
前記ソケットは、前記ソケット本体を挿通するとともに前記リングを前記設置部に向けて押し付けた状態で前記設置部に固定される固定部材、およびこの固定部材と前記ソケット本体との間に配置され前記ソケット本体を前記設置部に向けて付勢するばねを有し、前記ランプ装置の装着によって前記ソケット本体が前記設置部から離反する方向に移動する
ことを特徴とする請求項２記載の照明装置。
【発明の詳細な説明】
【技術分野】
【０００１】
本発明の実施形態は、防水構造の照明装置に関する。
【背景技術】
【０００２】
従来、例えばＥ２６形の規格に対応した口金を有するランプおよびその口金を装着するソケットでは、防水キャップを用いた防水構造が提供されている。防水キャップは、ランプ本体およびソケットにそれぞれ接触してランプ本体とソケットとの間の防水性を確保している。
【０００３】
また、例えばＧＸ５３形やＧｈ７６ｐ形の規格に対応した口金を用いるランプ装置およびソケットがある。ランプ装置およびソケットでは、防水性を確保する場合、非防水の通常のランプ装置およびソケットとは異なる専用構造に形成されている。
【先行技術文献】
【特許文献】
【０００４】
【特許文献１】特開２０１２−１４２２１５号公報
【発明の概要】
【発明が解決しようとする課題】
【０００５】
例えばＧＸ５３形やＧｈ７６ｐ形のランプ装置およびソケットにおいて、防水性を確保する場合にはランプ装置およびソケットを専用構造を用いているが、ランプ装置およびソケットを特別な構造とすることなく、防水性を確保できるようにすることが望まれている。
【０００６】
本発明が解決しようとする課題は、ランプ装置およびソケットを特別な構造とすることなく、防水性を確保できる照明装置を提供することである。
【課題を解決するための手段】
【０００７】
実施形態の照明装置は、ランプ装置、ソケットおよび防水キャップを備える。ランプ装置は、口金本体、口金本体の中央から突出する突出部、および口金本体の周辺部から突出する電極ピンを有する。ソケットは、ランプ装置の突出部が挿通される挿通孔が形成された環状のソケット本体、および電極ピンが電気的に接続される端子を有する。防水キャップは、筒状の防水キャップ本体、防水キャップ本体の一端側に設けられソケットを設置する設置部に接触してソケットと設置部との間に配置される第１の防水部、および防水キャップ本体の他端側に設けられソケットに装着されるランプ装置の周囲に接触する第２の防水部を有する。
【発明の効果】
【０００８】
本発明によれば、ランプ装置およびソケットを特別な構造とすることなく、防水性を確保することが期待できる。
【図面の簡単な説明】
【０００９】
【図１】第１の実施形態を示す防水キャップを用いた照明装置の断面図である。
【図２】同上照明装置のソケットからランプ装置を外した状態の断面図である。
【図３】同上照明装置のソケットおよび防水キャップの正面図である。
【図４】第２の実施形態を示す防水キャップを用いた照明装置の断面図である。
【図５】同上照明装置のソケットからランプ装置を外した状態の断面図である。
【図６】同上照明装置のソケットおよび防水キャップの正面図である。
【図７】第３の実施形態を示す照明装置の側面図である。
【図８】同上照明装置のソケットの正面図である。
【発明を実施するための形態】
【００１０】
以下、第１の実施形態を、図１ないし図３を参照して説明する。
【００１１】
図１ないし図３において、照明装置10は、設置部としての器具本体11、ランプ装置12、ソケット13、防水キャップ14およびリング15を備えている。照明装置10は防水構造を有しているが、ランプ装置12およびソケット13は、非防水構造の照明装置に用いられるランプ装置およびソケットと共通のものである。
【００１２】
そして、器具本体11は、天井や壁面等に設置される。器具本体11にソケット13を取り付け、このソケット13にランプ装置12を着脱可能に取り付けるように構成されている。
【００１３】
また、ランプ装置12は、円筒状の筐体17、この筐体17内に収容された発光素子および点灯回路、筐体17の前面側を覆う透光カバー18、および筐体17の背面側に設けられた口金19を備えている。
【００１４】
発光素子は、ＬＥＤや有機ＥＬ等のいずれでもよい。
【００１５】
点灯回路は、口金19から入力される交流電力を所定の直流電力に変換して発光素子に供給し、発光素子を点灯させる。
【００１６】
透光カバー18は、筐体17に対してパッキングを介して取り付けられている。筐体17と透光カバー18との間は防水構造に形成されている。
【００１７】
口金19は、ＧＸ５３−１形の規格に対応して形成されている。口金19は、口金本体22および口金本体22の周辺部から突出する一対の電極ピン23を備えている。口金本体22の中央からは突出部24が突設されている。突出部24内に点灯回路が収納されていてもよい。突出部24の周面には、ソケット13に対して回動により取り付けられる複数の取付溝25が形成されている。一対の電極ピン23は、突出部24よりも外径側で口金本体22から突設されている。電極ピン23は、断面略Ｔ字形に形成されている。
【００１８】
また、ソケット13は、ＧＸ５３形の規格に対応して形成されている。ソケット13は、ソケット本体28およびこのソケット本体28内に配置される一対の端子29を備えている。ソケット本体28は、中央に挿通孔28aを有する環状に形成されている。挿通孔28aには、口金19の突出部24が挿通される。挿通孔28aの内周には、口金19の突出部24の取付溝25を取り付けるための複数の突起30が突設されている。ソケット本体28には、ねじによってソケット本体28を器具本体11に固定するための複数の取付孔31が形成されているとともに、電極ピン23が挿入されて回動可能な一対の接続孔32が形成されている。
【００１９】
また、防水キャップ14は、筒状の防水キャップ本体34を有している。防水キャップ本体34は、シリコーン樹脂、ポリウレタン樹脂、ゴム樹脂等の材料で形成されている。防水キャップ本体34には、内径がランプ装置12およびソケット13の外径より大きい筒部35を有している。
【００２０】
筒部35の一端には、筒部35の中心方向に向けて突出し、器具本体11とソケット13との間に挟み込まれる環状の第１の防水部36が形成されている。第１の防水部36には、器具本体11に面接触して防水性を確保する接触面36aが形成されている。第１の防水部36には、ソケット13の取付孔31の位置に対応してねじが挿通する挿通孔が形成されている。
【００２１】
筒部35の他端には、内径が筒部35よりも縮径し、ランプ装置12の周面に密着状態に接触する筒状の第２の防水部37が形成されている。第２の防水部37の内径は、ランプ装置12の外径よりも小さく形成されている。第２の防水部37には、ランプ装置12の周面に面接触して防水性を確保する接触面37aが形成されている。
【００２２】
また、リング15は、例えば金属板によって構成されている。リング15は、中央に開口部15aを有する環状に形成されている。リング15は、防水キャップ14の第１の防水部36とソケット13との間に配置されている。リング15には、ソケット13の取付孔31の位置に対応してねじが挿通する挿通孔が形成されている。リング15の開口部15aの内径は、第１の防水部36の内径と同程度に形成されている。
【００２３】
そして、照明装置10を組み立てる場合には、防水キャップ14の内側にリング15およびソケット13を順に挿入し、ねじをソケット13の取付孔31、リング15の挿通孔および防水キャップ14の第１の防水部36の挿通孔を通じて器具本体11にねじ込み、器具本体11とソケット13の間での第１の防水部36およびリング15を挟み込んで固定する。これにより、リング15で防水キャップ14の第１の防水部36を器具本体11に押し付け、第１の防水部36と器具本体11とを密着させて防水性を確保する。
【００２４】
ランプ装置12で防水キャップ14の第２の防水部37の内径を広げるようにして、ランプ装置12を第２の防水部37の内側に挿入する。第２の防水部37の内側から挿入したランプ装置12の口金19をソケット13に挿入し、回動させることにより、口金19がソケット13に機械的に取り付けられるとともに、口金19の電極ピンがソケット13の端子29に接触して電気的に接続される。
【００２５】
防水キャップ14の第２の防水部37がランプ装置12の周面に密着し、第２の防水部37がランプ装置12の周面との間の防水性を確保する。
【００２６】
したがって、防水キャップ14によって、ランプ装置12の口金19およびソケット13を覆い、防水性を確保することができる。
【００２７】
本実施形態の防水キャップ14によれば、ＧＸ５３形の規格に対応したランプ装置12およびソケット13を特別な構造とすることなく、防水性を確保することが期待できる。
【００２８】
しかも、ソケット13に対してランプ装置12の取り付けが不十分であったり、過度な振動によってランプ装置12がソケット13から外れても、防水キャップ14によってランプ装置12を保持しているため、ランプ装置12が脱落するのを防止できる。
【００２９】
次に、図４ないし図６に第２の実施形態を示す。なお、第１の実施形態と同じ構成については同じ符号を用い、その構成および作用効果についての説明を省略する。
【００３０】
第２の実施形態においても、照明装置10は防水構造を有しているが、ランプ装置12およびソケット13は、非防水構造の照明装置に用いられるランプ装置およびソケットと共通のものである。
【００３１】
器具本体11には、ランプ装置12の突出部24の端面が接触する接触部40が形成されている。器具本体11は、複数の放熱フィンを有する放熱体で構成してもよい。
【００３２】
ランプ装置12は、Ｇｈ７６ｐ形の規格に対応した口金19を備えている。口金19は、口金本体22および口金本体22の周辺部から突出する複数の電極ピン23を備えている。口金本体22の中央からは突出部24が突設されている。突出部24の端面には、金属製の放熱部材42が配置されている。放熱部材42には、筐体17内に配置される発光素子が熱的に接続されている。突出部24の周面には、ソケット13に対して回動により取り付けられる複数の取付溝25が形成されているとともに、複数のキー43が突設されている。複数の電極ピン23は、突出部24よりも外径側で口金本体22から突設されている。電極ピン23は、円筒状に形成されている。
【００３３】
ソケット13は、Ｇｈ７６ｐ形の規格に対応して形成されている。ソケット本体28の挿通孔28aの内周には、口金19の突出部24の取付溝25を取り付けるための複数の突起30が突設されているとともに、キー43が挿通する複数のキー溝45が形成されている。ソケット本体28には、器具本体11に固定部材としての段付きねじ46によって固定するための複数の取付孔31が形成されているとともに、電極ピン23が挿入されて回動可能な複数の接続孔32が形成されている。
【００３４】
段付きねじ46は、段付きねじ46の軸部にばね47が配置され、その軸部が口金本体22、ワッシャ48、リング15および防水キャップ14を挿通して器具本体11にねじ込まれている。段付きねじ46の軸部は、先端側が細くワッシャ48を挿通するが、中間位置にはワッシャ48を挿通しえない拡径した段部が形成されている。この段部がワッシャ48に当接し、ワッシャ48を器具本体11に押し付けることにより、段付きねじ46が器具本体11に固定されている。また、ソケット本体28は、段付きねじ46に沿って器具本体11に対して離反する方向に移動可能で、ばね48によって器具本体11に接近する方向に付勢されている。
【００３５】
そして、照明装置10を組み立てる場合には、防水キャップ14の内側にリング15およびソケット13を順に挿入し、段付きねじ46をばね47、ソケット13の取付孔31、ワッシャ48、リング15の挿通孔および防水キャップ14の第１の防水部36の挿通孔を通じて器具本体11にねじ込み、ワッシャ48と器具本体11との間にリング15および防水キャップ14の第１の防水部36を挟み込んで固定する。これにより、リング15で防水キャップ14の第１の防水部36を器具本体11に押し付け、第１の防水部36と器具本体11とを密着させて防水性を確保する。
【００３６】
ランプ装置12で防水キャップ14の第２の防水部37の内径を広げるようにして、ランプ装置12を第２の防水部37の内側に挿入する。第２の防水部37の内側から挿入したランプ装置12の口金19をソケット13に挿入する。口金19をソケット13に挿入することにより、口金19の突出部24がソケット13の挿通孔28aを貫通し、突出部24の端面の放熱部材42が器具本体11の接触部40に接触する。さらに、口金19をソケット13に挿入した後、口金19を回動させることにより、口金19がソケット13に機械的に取り付けられるとともに、口金19の電極ピンがソケット13の端子29に接触して電気的に接続される。
【００３７】
口金19をソケット13に挿入し、回動させることにより、口金19の取付溝25とソケット13の突起30との係合により、ソケット13がばね47を圧縮しながら器具本体11から離反するように移動する。そのため、口金19をソケット13に装着した状態では、ばね47によってランプ装置12を器具本体11へ向けて押圧し、突出部24の端面の放熱部材42が器具本体11の接触部40に押し付け、放熱部材42と器具本体11との熱的な接触を確実にする。
【００３８】
ソケット本体28が器具本体11に対して離反するように移動しても、段付きねじ46でワッシャ48およびリング15を介して第１の防水部36を器具本体11に押し付けることにより、第１の防水部36と器具本体11との間の防水性は維持される。
【００３９】
口金19をソケット13に装着した状態では、防水キャップ14の第２の防水部37がランプ装置12の周面に密着し、第２の防水部37がランプ装置12の周面との間の防水性を確保する。
【００４０】
したがって、防水キャップ14によって、ランプ装置12の口金19およびソケット13を覆い、防水性を確保することができる。
【００４１】
本実施形態の防水キャップ14によれば、Ｇｈ７６ｐ形の規格に対応したランプ装置12およびソケット13を特別な構造とすることなく、防水性を確保することが期待できる。しかも、Ｇｈ７６ｐ形の規格に対応したソケット13は、ランプ装置12の装着によって動くが、防水キャップ14と器具本体11との間の防水性を維持できる。
【００４２】
しかも、ソケット13に対してランプ装置12の取り付けが不十分であったり、過度な振動によってランプ装置12がソケット13から外れても、防水キャップ14によってランプ装置12を保持しているため、ランプ装置12が脱落するのを防止できる。
【００４３】
図７および図８に第３の実施形態を示す。なお、前記実施形態と同じ構成については同じ符号を用い、その構成および作用効果についての説明を省略する。
【００４４】
ランプ装置12およびソケット13は、Ｇｈ７６ｐ形の規格に対応している。ランプ装置12およびソケット13はそれぞれ防水構造を有している。
【００４５】
ソケット13の接続孔32の周囲に、防水キャップとしてリング状の防水パッキング51を設ける。
【００４６】
そして、ソケット13にランプ装置12の口金19を装着すると、ソケット13と口金19との間に防水パッキング51が挟み込まれ、ソケット13と口金19とに防水パッキング51が密着し、ソケット13の端子29と電極ピン23との接続部分の防水性を確保できる。
【００４７】
本実施形態によれば、Ｇｈ７６ｐ形の規格に対応したランプ装置12を特別な構造とすることなく、防水性を確保することが期待できる。
【００４８】
なお、防水パッキング51は、ＧＸ５３形の規格に対応したランプ装置12およびソケット13にも適用することができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
10    照明装置
11    設置部としての器具本体
12    ランプ装置
13    ソケット
14    防水キャップ
15    リング
19    口金
22    口金本体
23    電極ピン
24    突出部
28    ソケット本体
28a   挿通孔
29    端子
34    防水キャップ本体
36    第１の防水部
37    第２の防水部
46    固定部材としての段付きねじ
47    ばね
【図１】
2016062842.tif 000003
【図２】
2016062842.tif 000004
【図３】
2016062842.tif 000005
【図４】
2016062842.tif 000006
【図５】
2016062842.tif 000007
【図６】
2016062842.tif 000008
【図７】
2016062842.tif 000009
【図８】
2016062842.tif 000010